(57)【要約】【課題】利用者が利用者検出装置に検出されていることを利用者が知ることができるエレベータ出入口装置を得る。【解決手段】表示装置２１と、挟まれ防止用検出領域および引き込まれ防止用検出領域における利用者６を検出する利用者検出装置７から検出結果を取得し、表示装置２１を制御する表示制御装置２２とを備え、表示制御装置２２は、利用者検出装置７が利用者６を検出している場合に、利用者６が検出されている旨を表示装置２１に表示させる。【選択図】図２
2014185019.tif 000002
【特許請求の範囲】
【請求項１】
通知装置と、
挟まれ防止用検出領域または引き込まれ防止用検出領域における被検出体を検出する被検出体検出装置から検出結果を取得し、前記通知装置を制御する通知制御装置と
を備え、
前記通知制御装置は、前記被検出体検出装置が前記被検出体を検出している場合に、前記被検出体が検出されている旨を前記通知装置に通知させることを特徴とするエレベータ出入口装置。
【請求項２】
前記通知制御装置は、エレベータ出入口を開閉するドアを動作させるドア駆動装置を制御するドア制御装置から前記ドアの動作予告情報を取得し、前記被検出体検出装置が前記被検出体を検出していない場合であって、前記ドアが動作を開始する場合に、前記ドアが動作を開始する旨を前記通知装置に通知させることを特徴とする請求項１に記載のエレベータ出入口装置。
【請求項３】
前記通知制御装置は、エレベータ出入口を開閉するドアを動作させるドア駆動装置を制御するドア制御装置から前記ドアの動作中情報を取得し、前記被検出体検出装置が前記被検出体を検出していない場合であって、前記ドアが動作をしている場合に、前記ドアが動作している旨を前記通知装置に通知させることを特徴とする請求項１または請求項２に記載のエレベータ出入口装置。
【請求項４】
エレベータ出入口を開閉するドアを動作させるドア駆動装置を制御するドア制御装置をさらに備え、
前記ドア制御装置は、前記ドアが動作をしている状態で前記被検出体検出装置が前記被検出体を検出する場合に、前記ドアが回避動作をするように前記ドア駆動装置を制御することを特徴とする請求項１〜請求項３の何れか一項に記載のエレベータ出入口装置。
【請求項５】
通知装置と、前記通知装置を制御する通知制御装置とを用いたエレベータ出入口装置用通知方法であって、
挟まれ防止用検出領域または引き込まれ防止用検出領域における被検出体を検出する被検出体検出装置から前記通知制御装置が検出結果を取得し、前記被検出体検出装置が前記被検出体を検出しているか否かについて前記通知制御装置が判定する被検出体検出判定工程と、
前記被検出体検出判定工程で、前記被検出体検出装置が前記被検出体を検出していると前記通知制御装置が判定する場合に、前記被検出体が検出されている旨を前記通知制御装置が前記通知装置に通知させる検出通知工程と
を備えたことを特徴とするエレベータ出入口装置用通知方法。
【発明の詳細な説明】
【技術分野】
【０００１】
この発明は、エレベータ出入口を開閉するエレベータ出入口装置およびエレベータ出入口装置用通知方法に関する。
【背景技術】
【０００２】
従来、エレベータ出入口を開閉するドア、ドアを動作させるドア駆動装置およびドア駆動装置を制御するドア制御装置を有したドア装置と、エレベータ出入口が形成されたエレベータ出入口部材に設けられ、ドアが戸開動作を開始する前に警報する警報装置とを備えたエレベータ出入口装置が知られている（例えば、特許文献１参照）。
【先行技術文献】
【特許文献】
【０００３】
【特許文献１】特開２００５−７５６０５号公報
【発明の概要】
【発明が解決しようとする課題】
【０００４】
しかしながら、エレベータ出入口装置が、例えば、挟まれ防止用検出領域における利用者を検出する利用者検出装置をさらに備え、利用者検出装置の検出結果に基づいてドア制御装置がドア駆動装置を制御する場合には、利用者が利用者検出装置に検出されているか否かを利用者が知ることができないという問題点があった。
【０００５】
この発明は、利用者が被検出体検出装置に検出されていることを利用者が知ることができるエレベータ出入口装置およびエレベータ出入口装置用通知方法を提供するものである。
【課題を解決するための手段】
【０００６】
この発明に係るエレベータ出入口装置は、通知装置と、挟まれ防止用検出領域または引き込まれ防止用検出領域における被検出体を検出する被検出体検出装置から検出結果を取得し、通知装置を制御する通知制御装置とを備え、通知制御装置は、被検出体検出装置が被検出体を検出している場合に、被検出体が検出されている旨を通知装置に通知させる。
【０００７】
この発明に係るエレベータ出入口装置用通知方法は、通知装置と、通知装置を制御する通知制御装置とを用いた通知方法であって、挟まれ防止用検出領域または引き込まれ防止用検出領域における被検出体を検出する被検出体検出装置から通知制御装置が検出結果を取得し、被検出体検出装置が被検出体を検出しているか否かについて通知制御装置が判定する被検出体検出判定工程と、被検出体検出判定工程で、被検出体検出装置が被検出体を検出していると通知制御装置が判定する場合に、被検出体が検出されている旨を通知制御装置が通知装置に通知させる検出通知工程とを備えている。
【発明の効果】
【０００８】
この発明に係るエレベータ出入口装置によれば、通知装置と、挟まれ防止用検出領域または引き込まれ防止用検出領域における被検出体を検出する被検出体検出装置から検出結果を取得し、通知装置を制御する通知制御装置とを備え、通知制御装置は、被検出体検出装置が被検出体を検出している場合に、被検出体が検出されている旨を通知装置に通知させるので、利用者が例えば挟まれ防止用検出領域にいる場合には、通知制御装置は、利用者が検出されている旨を通知装置に通知させる。これにより、利用者が被検出体検出装置に検出されていることを利用者が知ることができる。
【０００９】
この発明に係るエレベータ出入口装置用通知方法によれば、挟まれ防止用検出領域または引き込まれ防止用検出領域における被検出体を検出する被検出体検出装置から通知制御装置が検出結果を取得し、被検出体検出装置が被検出体を検出しているか否かについて通知制御装置が判定する被検出体検出判定工程と、被検出体検出判定工程で、被検出体検出装置が被検出体を検出していると通知制御装置が判定する場合に、被検出体が検出されている旨を通知制御装置が通知装置に通知させる検出通知工程とを備えているので、利用者が例えば挟まれ防止用検出領域にいる場合には、通知制御装置は、利用者が検出されている旨を通知装置に通知させる。これにより、利用者が被検出体検出装置に検出されていることを利用者が知ることができる。
【図面の簡単な説明】
【００１０】
【図１】この発明の実施の形態１に係るエレベータ出入口装置を示す正面図である。
【図２】図１のエレベータ出入口装置を示すブロック図である。
【図３】図１のドアが戸閉動作を開始する場合の表示装置を示す正面図である。
【図４】図１のドアが戸開動作を開始する場合の表示装置を示す正面図である。
【図５】図１の非接触挟まれ防止センサ、非接触引き込まれ防止センサおよび機械式挟まれ防止センサの何れかが利用者を検出している場合の表示装置を示す正面図である。
【図６】図２のエレベータ出入口装置の動作を示すフローチャートである。
【図７】図６で利用者未検出時モードとなった場合のエレベータ出入口装置の動作を示すフローチャートである。
【図８】図６で利用者検出時モードとなった場合のエレベータ出入口装置の動作を示すフローチャートである。
【発明を実施するための形態】
【００１１】
実施の形態１．
図１はこの発明の実施の形態１に係るエレベータ出入口装置を示す正面図、図２は図１のエレベータ出入口装置を示すブロック図である。図１では、エレベータ出入口装置の乗場部分を示している。図において、エレベータ出入口装置は、ドア装置１と、表示システム２と、非接触挟まれ防止センサ３と、非接触引き込まれ防止センサ４と、機械式挟まれ防止センサ５とを備えている。
【００１２】
ドア装置１は、エレベータ出入口１００を開閉するドア１１と、ドア１１を動作させるドア駆動装置１２と、ドア駆動装置１２を制御するドア制御装置１３とを備えている。ドア１１は、かごに設けられ、かご出入口を開閉するかごドアと、乗場に設けられ、乗場出入口を開閉する乗場ドアとを有している。かごドアと乗場ドアとが互いに係合した状態で、かごドアがかご出入口を開閉することによって、乗場ドアが乗場出入口を開閉する。
【００１３】
表示システム２は、表示装置（通知装置）２１と、表示装置２１を制御する表示制御装置（通知制御装置）２２とを備えている。表示装置２１は、乗場三方枠の上枠および乗場床に取り付けられている。なお、表示装置２１は、乗場三方枠の上枠および乗場床に限らず、乗場にいる利用者（被検出体）６が目視可能な位置に配置されていればよい。表示装置２１は、エレベータ出入口１００の幅方向に延びて形成されている。
【００１４】
非接触挟まれ防止センサ３は、ドア１１に取り付けられている。非接触挟まれ防止センサ３は、挟まれ防止用検出領域における利用者６を検出する。挟まれ防止用検出領域としては、エレベータ出入口１００の幅方向に並べられた一対のドア１１の間の領域が設定されている。
【００１５】
非接触引き込まれ防止センサ４は、戸開時にドア１１が収納される戸袋に取り付けられている。非接触引き込まれ防止センサ４は、引き込まれ防止用検出領域における利用者６を検出する。引き込まれ防止用検出領域としては、乗場三方枠のそれぞれの縦枠の間の領域が設定されている。
【００１６】
機械式挟まれ防止センサ５は、ドア１１に取り付けられている。機械式挟まれ防止センサ５は、挟まれ防止用検出領域における利用者６を検出する。
【００１７】
非接触挟まれ防止センサ３と、非接触引き込まれ防止センサ４と、機械式挟まれ防止センサ５とから、利用者検出装置（被検出体検出装置）７が構成されている。
【００１８】
ドア制御装置１３は、非接触挟まれ防止センサ３の検出結果、非接触引き込まれ防止センサ４の検出結果および機械式挟まれ防止センサ５の検出結果を取得する。
【００１９】
ドア制御装置１３は、ドア１１が動作をしている状態で、非接触挟まれ防止センサ３、非接触引き込まれ防止センサ４および機械式挟まれ防止センサ５の少なくとも１つが利用者６を検出する場合に、ドア駆動装置１２にドア１１の回避動作をさせる。具体的には、ドア制御装置１３は、ドア１１が戸閉動作をしている状態で、非接触挟まれ防止センサ３または機械式挟まれ防止センサ５が利用者６を検出する場合に、ドア１１の戸閉動作を反転させて、ドア１１に戸開動作をさせる。また、ドア制御装置１３は、ドア１１が戸開動作をしている状態で、非接触引き込まれ防止センサ４が利用者６を検出する場合に、ドア１１の戸開動作を一旦停止させる。
【００２０】
ドア制御装置１３は、ドア１１が動作を開始する場合に、ドア１１の動作予告情報を表示制御装置２２に送る。動作予告情報には、ドア１１が戸開動作を開始する情報およびドア１１が戸閉動作を開始する情報が含まれている。
【００２１】
また、ドア制御装置１３は、ドア１１が動作をしている場合に、ドア１１の動作中情報を表示制御装置２２に送る。動作中情報には、ドア１１が戸開動作をしている情報およびドア１１が戸閉動作をしている情報が含まれている。
【００２２】
表示制御装置２２は、ドア制御装置１３を介して、非接触挟まれ防止センサ３の検出結果、非接触引き込まれ防止センサ４の検出結果および機械式挟まれ防止センサ５の検出結果を取得する。
【００２３】
図３は図１のドア１１が戸閉動作を開始する場合の表示装置２１を示す正面図である。表示制御装置２２（図２）は、非接触挟まれ防止センサ３、非接触引き込まれ防止センサ４および機械式挟まれ防止センサ５の何れもが利用者６（図１）を検出していない場合であって、ドア１１が戸閉動作を開始する場合には、ドア１１が戸閉動作を開始する旨を表示装置２１に表示させる。図３では、白色部分が発光している部分を表し、黒色部分が発光していない部分を表している。この場合、表示装置２１は、長手方向両端部から長手方向中間部に向かって発光部分を移動させる。言い換えれば、表示装置２１は、発光部分を戸閉方向にスクロールさせる。これにより、利用者６は、表示装置２１を目視することによって、ドア１１が戸閉動作を開始することを知ることができる。
【００２４】
また、表示制御装置２２は、非接触挟まれ防止センサ３、非接触引き込まれ防止センサ４および機械式挟まれ防止センサ５の何れもが利用者６を検出していない場合であって、ドア１１が戸閉動作をしている場合には、ドア１１が戸閉動作をしている旨、つまり、利用者６の注意を喚起する表示を表示装置２１に表示させる。この例では、利用者６の注意を喚起する表示装置２１の表示は、ドア１１が戸閉動作を開始する旨の表示と同様である。これにより、利用者６は、表示装置２１を目視することによって、ドア１１が戸開動作をしていることを知ることができる。なお、ドア１１が戸閉動作をしている旨の表示は、ドア１１が戸閉動作を開始する場合の表示と異なるようにしてもよい。
【００２５】
図４は図１のドア１１が戸開動作を開始する場合の表示装置２１を示す正面図である。表示制御装置２２（図２）は、非接触挟まれ防止センサ３、非接触引き込まれ防止センサ４および機械式挟まれ防止センサ５の何れもが利用者６（図１）を検出していない場合であって、ドア１１が戸開動作を開始する場合には、ドア１１が戸開動作を開始する旨を表示装置２１に表示させる。図４では、白色部分が発光している部分を表し、黒色部分が発光していない部分を表している。この場合、表示装置２１は、長手方向中間部から長手方向両端部に向かって発光部分を移動させる。言い換えれば、表示装置２１は、発光部分を戸開方向にスクロールさせる。これにより、利用者６は、表示装置２１を目視することによって、ドア１１が戸開動作を開始することを知ることができる。
【００２６】
また、表示制御装置２２は、非接触挟まれ防止センサ３、非接触引き込まれ防止センサ４および機械式挟まれ防止センサ５の何れもが利用者６を検出していない場合であって、ドア１１が戸開動作をしている場合には、ドア１１が戸開動作をしている旨、つまり、利用者６の注意を喚起する表示を表示装置２１に表示させる。この例では、利用者６の注意を喚起する表示装置２１の表示は、ドア１１が戸開動作を開始する旨の表示と同様である。これにより、利用者６は、表示装置２１を目視することによって、ドア１１が戸開動作をしていることを知ることができる。なお、ドア１１が戸開動作をしている旨の表示は、ドア１１が戸開動作を開始する場合の表示と異なるようにしてもよい。
【００２７】
図５は図１の非接触挟まれ防止センサ３、非接触引き込まれ防止センサ４および機械式挟まれ防止センサ５の何れかが利用者６を検出している場合の表示装置２１を示す正面図である。表示制御装置２２（図２）は、非接触挟まれ防止センサ３、非接触引き込まれ防止センサ４および機械式挟まれ防止センサ５の何れかが利用者６を検出している場合に、利用者６が検出されている旨を表示装置２１に表示させる。図５では、白色部分が発光している部分を表し、黒色部分が発光していない部分を表している。この場合、表示装置２１は、発光部分が点在している状態と、全面が発光していない状態とを繰り返し表示する。言い換えれば、表示装置２１は、点滅表示を行う。これにより、利用者６は、表示装置２１を目視することによって、利用者６が検出されていることを知ることができる。
【００２８】
次に、エレベータ出入口装置の動作を説明する。図６は図２のエレベータ出入口装置の動作を示すフローチャートである。まず、表示制御装置２２は、非接触挟まれ防止センサ３、非接触引き込まれ防止センサ４および機械式挟まれ防止センサ５の何れかが利用者６を検出しているか否かを判定する（被検出体検出判定工程）（ステップＳ１０１）。
【００２９】
ステップＳ１０１で、非接触挟まれ防止センサ３、非接触引き込まれ防止センサ４および機械式挟まれ防止センサ５の何れもが利用者６を検出していないと表示制御装置２２が判定すると、エレベータ出入口装置は、利用者未検出時モードとなる（ステップＳ１０２）。一方、ステップＳ１０１で、非接触挟まれ防止センサ３、非接触引き込まれ防止センサ４および機械式挟まれ防止センサ５の何れかが利用者６を検出していると表示制御装置２２が判定すると、エレベータ出入口装置は、利用者検出時モードとなる（ステップＳ１０３）。
【００３０】
図７は図６で利用者未検出時モードとなった場合のエレベータ出入口装置の動作を示すフローチャートである。まず、表示制御装置２２は、ドア装置１が戸開待機中であるか否かを判定する（戸開待機中判定工程）（ステップＳ２０１）。ステップＳ２０１で、ドア装置１が戸開待機中であると表示制御装置２２が判定すると、表示装置２１が何も表示することなく、エレベータ出入口装置の利用者未検出時モードが終了する。
【００３１】
一方、ステップＳ２０１で、ドア装置１が戸開待機中ではないと表示制御装置２２が判定すると、表示制御装置２２は、ドア１１が戸閉動作を開始するか否か、つまり、ドア装置１が戸閉直前であるか否かを判定する（戸閉直前判定工程）（ステップＳ２０２）。ステップＳ２０２で、ドア装置１が戸閉直前であると表示制御装置２２が判定すると、表示装置２１はドア１１が戸閉動作を開始する旨を表示して（戸閉動作開始通知工程）（ステップＳ２０３）、エレベータ出入口装置の利用者未検出時モードが終了する。
【００３２】
一方、ステップＳ２０２で、ドア装置１が戸閉直前ではないと表示制御装置２２が判定すると、表示制御装置２２は、ドア１１が戸閉動作をしているか否か、つまり、ドア装置１が戸閉中であるか否かを判定する（戸閉中判定工程）（ステップＳ２０４）。ステップＳ２０４で、ドア装置１が戸閉中であると表示制御装置２２が判定すると、表示装置２１はドア１１が戸閉動作をしている旨を表示して（戸閉中通知工程）（ステップＳ２０５）、エレベータ出入口装置の利用者未検出時モードが終了する。
【００３３】
一方、ステップＳ２０４で、ドア装置１が戸閉中ではないと表示制御装置２２が判定すると、表示制御装置２２は、ドア装置１が戸閉待機中であるか否かを判定する（戸閉待機中判定工程）（ステップＳ２０６）。ステップＳ２０６で、ドア装置１が戸閉待機中であると表示制御装置２２が判定すると、表示装置２１が何も表示することなく、エレベータ出入口装置の利用者未検出時モードが終了する。
【００３４】
一方、ステップＳ２０６で、ドア装置１が戸閉待機中ではないと表示制御装置２２が判定すると、表示制御装置２２は、ドア１１が戸開動作を開始するか否か、つまり、ドア装置１が戸開直前であるか否かを判定する（戸開直前判定工程）（ステップＳ２０７）。ステップＳ２０７で、ドア装置１が戸開直前であると表示制御装置２２が判定すると、表示装置２１はドア１１が戸開動作を開始する旨を表示して（戸開直前通知工程）（ステップＳ２０８）、エレベータ出入口装置の利用者未検出時モードが終了する。
【００３５】
一方、ステップＳ２０７で、ドア装置１が戸開直前ではないと表示制御装置２２が判定すると、表示制御装置２２は、ドア１１が戸開動作をしているか否か、つまり、ドア装置１が戸開中であるか否かを判定する（戸開中判定工程）（ステップＳ２０９）。ステップＳ２０９で、ドア装置１が戸開中であると表示制御装置２２が判定すると、表示装置２１はドア１１が戸開動作をしている旨を表示して（戸開中通知工程）（ステップＳ２１０）、エレベータ出入口装置の利用者未検出時モードが終了する。一方、ステップＳ２０９で、ドア装置１が戸開中ではないと表示制御装置２２が判定すると、表示装置２１が何も表示することなく、エレベータ出入口装置の利用者未検出時モードが終了する。
【００３６】
図８は図６で利用者検出時モードとなった場合のエレベータ出入口装置の動作を示すフローチャートである。まず、表示制御装置２２は、ドア装置１が戸開待機中であるか否かを判定する（戸開待機中判定工程）（ステップＳ３０１）。ステップＳ３０１で、ドア装置１が戸開待機中であると表示制御装置２２が判定すると、表示装置２１は利用者６が検出されている旨を表示して（検出通知工程）（ステップＳ３０２）、エレベータ出入口装置の利用者検出時モードが終了する。
【００３７】
一方、ステップＳ３０１で、ドア装置１が戸開待機中ではないと表示制御装置２２が判定すると、表示制御装置２２は、ドア１１が戸閉動作を開始するか否か、つまり、ドア装置１が戸閉直前であるか否かを判定する（戸閉直前判定工程）（ステップＳ３０３）。ステップＳ３０３で、ドア装置１が戸閉直前であると表示制御装置２２が判定すると、表示装置２１は利用者６が検出されている旨を表示し（検出通知工程）（ステップＳ３０４）、ドア制御装置１３はドア１１の戸開状態を継続して（戸開継続工程）（ステップＳ３０５）、エレベータ出入口装置の利用者検出時モードが終了する。
【００３８】
一方、ステップＳ３０３で、ドア装置１が戸閉直前ではないと表示制御装置２２が判定すると、表示制御装置２２は、ドア１１が戸閉動作をしているか否か、つまり、ドア装置１が戸閉中であるか否かを判定する（戸閉中判定工程）（ステップＳ３０６）。ステップＳ３０６で、ドア装置１が戸閉中であると表示制御装置２２が判定すると、表示装置２１は利用者６が検出されている旨を表示し（検出通知工程）（ステップＳ３０７）、ドア制御装置はドア１１の戸閉動作を反転させてドア１１に戸開動作をさせ（戸開工程）（ステップＳ３０８）、エレベータ出入口装置の利用者検出時モードが終了する。
【００３９】
一方、ステップＳ３０６で、ドア装置１が戸閉中ではないと表示制御装置２２が判定すると、表示制御装置２２は、ドア装置１が戸閉待機中であるか否かを判定する（戸閉待機中判定工程）（ステップＳ３０９）。ステップＳ３０９で、ドア装置１が戸閉待機中であると表示制御装置２２が判定すると、表示装置２１は利用者６が検出されている旨を表示して（検出通知工程）（ステップＳ３１０）、エレベータ出入口装置の利用者検出時モードが終了する。
【００４０】
一方、ステップＳ３０９で、ドア装置１が戸閉待機中ではないと表示制御装置２２が判定すると、表示制御装置２２は、ドア１１が戸開動作を開始するか否か、つまり、ドア装置１が戸開直前であるか否かを判定する（戸開直前判定工程）（ステップＳ３１１）。ステップＳ３１１で、ドア装置１が戸開直前であると表示制御装置２２が判定すると、表示装置２１は利用者６が検出されている旨を表示し（検出通知工程）（ステップＳ３１２）、ドア制御装置１３はドア１１の戸閉状態を継続して（戸閉継続工程）（ステップＳ３１３）、エレベータ出入口装置の利用者検出時モードが終了する。
【００４１】
一方、ステップＳ３１１で、ドア装置１が戸開直前ではないと表示制御装置２２が判定すると、表示制御装置２２は、ドア１１が戸開動作をしているか否か、つまり、ドア装置１が戸開中であるか否かを判定する（戸開中判定工程）（ステップＳ３１４）。ステップＳ３１４で、ドア装置１が戸開中であると表示制御装置２２が判定すると、表示装置２１は利用者６が検出されている旨を表示し（検出通知工程）（ステップＳ３１５）、ドア制御装置１３はドア１１の戸開動作を一旦停止して（戸開一旦停止工程）（ステップＳ３１６）、エレベータ出入口装置の利用者検出時モードが終了する。一方、ステップＳ３１４で、ドア装置１が戸開中ではないと表示制御装置２２が判定すると、表示装置２１が何も表示することなく、エレベータ出入口装置の利用者検出時モードが終了する。
【００４２】
以上説明したように、この発明の実施の形態１に係るエレベータ出入口装置によれば、表示装置２１と、挟まれ防止用検出領域または引き込まれ防止用検出領域における利用者６を検出する利用者検出装置７から検出結果を取得し、表示装置２１を制御する表示制御装置２２とを備え、表示制御装置２２は、利用者検出装置７が利用者６を検出している場合に、利用者６が検出されている旨を表示装置２１に表示させるので、利用者６が例えば挟まれ防止用検出領域にいる場合には、表示制御装置２２は、利用者６が検出されている旨を表示装置２１に表示させる。これにより、利用者６が利用者検出装置７に検出されていることを利用者６が知ることができる。その結果、利用者検出装置７の検出結果と利用者検出装置７の検出結果についての利用者６の認識との間の相違を無くすことができる。これにより、例えば、利用者６がドア１１に挟まれる位置にいても利用者６の体の一部を検出することができないような挟まれ防止用検出領域が狭いタイプの非接触挟まれ防止センサ３が設置されている場合には、非接触挟まれ防止センサ３が利用者６を検出していないにもかかわらず利用者６が非接触挟まれ防止センサ３に検出されていると利用者６が認識してしまうことを防ぐことができる。これにより、利用者６がドア１１に挟まれる災害を防止することができ、また、この相違によって生じるドア１１が戸閉動作をするかも知れないという利用者６の不安感を取り除くことによって、利用者６に安心感を与えることができる。
【００４３】
具体的には、非接触挟まれ防止センサ３および機械式挟まれ防止センサ５に故障が発生し、ドア制御装置１３が自己診断機能によってその故障を検知している場合であって、エレベータ装置の最低限のサービスを継続するために、挟まれ防止用検出領域に利用者６がいても低速戸閉動作を行う場合に、非接触挟まれ防止センサ３および機械式挟まれ防止センサ５が利用者６を検出していない旨を表示装置２１が表示することによって、利用者６がドア１１に挟まれることをより確実に防ぐことができる。
【００４４】
また、具体的には、非接触引き込まれ防止センサ４に故障が発生し、ドア制御装置１３が自己診断機能によってその故障を検知している場合であって、エレベータ装置の最低限のサービスを継続するために、引き込まれ防止用検出領域に利用者６がいても低速戸開動作を行う場合に、非接触引き込まれ防止センサ４が利用者６を検出していない旨を表示装置２１が表示することによって、利用者６がドア１１に引き込まれることをより確実に防ぐことができる。
【００４５】
また、表示制御装置２２は、ドア制御装置１３からドア１１の動作予告情報を取得し、利用者検出装置７が利用者６を検出していない場合であって、ドア１１が動作を開始する場合に、ドア１１が動作を開始する旨を表示装置２１に表示させるので、利用者６が検出されていない場合であって、ドア１１が動作を開始する場合に、表示制御装置２２は、ドア１１が動作を開始する旨を表示装置２１に表示させる。これにより、ドア１１が動作を開始することを利用者６が知ることができる。
【００４６】
また、表示制御装置２２は、ドア制御装置１３からドア１１の動作中情報を取得し、利用者検出装置７が利用者６を検出していない場合であって、ドア１１が動作をしている場合に、ドア１１が動作している旨を表示装置２１に表示させるので、利用者６が検出されていない場合であって、ドア１１が動作をしている場合に、表示制御装置２２は、ドア１１が動作をしている旨を表示装置２１に表示させる。これにより、ドア１１が動作をしていることを利用者６が知ることができる。
【００４７】
また、エレベータ出入口装置は、ドア駆動装置１２を制御するドア制御装置１３を備え、ドア制御装置１３は、ドア１１が動作をしている状態で利用者検出装置７が利用者６を検出する場合に、ドア１１が回避動作をするようにドア駆動装置１２を制御するので、利用者６がドア１１に挟まれたり、または、利用者６がドア１１に引き込まれたりすることを防止することができる。
【００４８】
また、この発明の実施の形態１に係るエレベータ出入口装置用通知方法によれば、利用者検出装置７から表示制御装置２２が検出結果を取得し、利用者検出装置７が利用者６を検出しているか否かについて表示制御装置２２が判定する被検出体検出判定工程と、被検出体検出判定工程で、利用者検出装置７が利用者６を検出していると表示制御装置２２が判定する場合に、利用者６が検出されている旨を表示制御装置２２が表示装置２１に表示させる検出通知工程とを備えているので、利用者６が例えば挟まれ防止用検出領域にいる場合には、表示制御装置２２は、利用者６が検出されている旨を表示装置２１に表示させる。これにより、利用者６が利用者検出装置７に検出されていることを利用者６が知ることができる。
【００４９】
なお、上記実施の形態１では、通知装置として、表示装置２１を例に説明したが、スピーカ装置または振動発生装置であってもよい。つまり、音または振動を介して、利用者６に通知する構成であってもよい。
【００５０】
また、上記実施の形態１では、乗場にいる利用者６が目視可能な位置に表示装置２１が配置されている構成について説明したが、かごにいる利用者６が目視可能な位置に表示装置２１が配置されている構成であってもよい。また、乗場にいる利用者６およびかごにいる利用者６の両方が目視可能な位置に表示装置２１が配置される構成であってもよい。この場合、乗場にいる利用者６およびかごにいる利用者６の両方が目視可能な位置に１つの表示装置２１が配置される構成であってもよい。
【００５１】
また、上記実施の形態１では、非接触挟まれ防止センサ３と、非接触引き込まれ防止センサ４と、機械式挟まれ防止センサ５とから、利用者検出装置（被検出体検出装置）７が構成されている場合について説明したが、機械式挟まれ防止センサ５のみから利用者検出装置７が構成される場合であってもよい。この場合、表示制御装置２２は、非接触挟まれ防止センサ３および非接触引き込まれ防止センサ４が設置されていないことを表示装置２１に表示させる構成であってもよい。具体的には、表示装置２１が機械式挟まれ防止センサ５の検出結果を表示することによって、非接触挟まれ防止センサ３および非接触引き込まれ防止センサ４が設置されていないことを表示する。これにより、非接触挟まれ防止センサ３および非接触引き込まれ防止センサ４が設置されていないことを利用者６が知ることができる。
【符号の説明】
【００５２】
１  ドア装置、２  表示システム、３  非接触挟まれ防止センサ、４  非接触引き込まれ防止センサ、５  機械式挟まれ防止センサ、６  利用者（被検出体）、７  利用者検出装置（被検出体検出装置）、１１  ドア、１２  ドア駆動装置、１３  ドア制御装置、２１  表示装置（通知装置）、２２  表示制御装置（通知制御装置）、１００  エレベータ出入口。
【図１】
2014185019.tif 000003
【図２】
2014185019.tif 000004
【図３】
2014185019.tif 000005
【図４】
2014185019.tif 000006
【図５】
2014185019.tif 000007
【図６】
2014185019.tif 000008
【図７】
2014185019.tif 000009
【図８】
2014185019.tif 000010